(57)【要約】【課題】鏡筒外径構造を工夫して、ベースに対する鏡筒の推力を向上できるようにすると共に、レンズ駆動用のアクチュエータを小型化できるようにする。【解決手段】異口径のレンズ７１，７２，７３を収納する段差筒状体６１を成してベース１０に対して可動自在に配置された鏡筒６０と、段差筒状体６１の中段外周部６５に配置されて固定されたコイル３０と、この外周部に配置されてベース１０に固定されたヨーク４０と、この内周部に配置されて固定されたマグネット５０とを備え、ヨーク４０の縁部の一部又は全部が折り返されて段差筒状体６１の外周部に配置され、中段外周部６５に配置された内ヨーク部４２と、当該内ヨーク部４２に配置固定されたマグネット５０とでコイル３０を挟むように鏡筒６０が組み込まれたものである。【選択図】    図１
2008299286.tif 000002
【特許請求の範囲】
【請求項１】
鏡筒に収納されたレンズを基台に対して駆動するレンズ駆動装置であって、
異口径のレンズを収納する段差筒状体を成して前記基台に対して可動自在に配置された鏡筒と、
前記段差筒状体の外周部に配置されて固定されたコイルと、
前記コイルの外周部に配置されて前記基台に固定された支持部材と、
前記支持部材の内周部に配置されて固定された磁性体とを備え、
前記支持部材の縁部の一部又は全部が折り返されて前記段差筒状体の外周部に配置され、
前記段差筒状体の外周部に配置された前記支持部材と、当該支持部材に配置固定された前記磁性体とで前記コイルを挟むように前記鏡筒が組み込まれることを特徴とするレンズ駆動装置。
【請求項２】
前記支持部材は、
前記コイルの外周部に配置されて前記基台に固定された部分が外ヨーク部を構成し、
縁部の一部又は全部が折り返されて前記段差筒状体の外周部に配置された部分が内ヨーク部を構成することを特徴とする請求項１に記載のレンズ駆動装置。
【請求項３】
鏡筒に収納されたレンズを基台に対して駆動するレンズ駆動装置の組立方法であって、
異口径のレンズを鏡筒用の段差筒状体に収納する工程と、
前記段差筒状体の外周部にコイルを配置して固定する工程と、
内周部に磁性体を配置して固定すると共に、縁部の一部又は全部を折り返して前記段差筒状体の外周部に前記支持部材を配置する工程と、
前記段差筒状体の外周部に配置された前記支持部材と、当該支持部材に配置固定された前記磁性体とで前記コイルを挟むように前記基台に対して可動自在に前記段差筒状体を組み込む工程と、
前記基台に支持部材を固定する工程とを有することを特徴とするレンズ駆動装置の組立方法。
【発明の詳細な説明】
【技術分野】
【０００１】
本発明は、デジタルカメラや、ビデオカメラ、携帯電話機等のカメラモジュール用のレンズユニットに適用可能なレンズ駆動装置及びその組立方法に関する。詳しくは、鏡筒に収納された異口径のレンズを基台に対して駆動する場合に、ヨークの縁部の一部又は全部を折り返して段差筒状体を成す鏡筒の外周部に配置されたヨークと、当該ヨークの内側に配置固定されたマグネットとでコイルを挟むように鏡筒を組み込んで、段差筒状体の外周部に配置されたヨークが、マグネット、コイルを含む閉磁路を形成できるようにすると共に、マグネットによる磁束を十分にコイルに鎖交できるようにしたものである。
【背景技術】
【０００２】
近年、デジタルカメラや、ビデオカメラ、携帯電話機等のカメラモジュールには、レンズユニットが実装され、このレンズユニットにはオートフォーカス（ＡＦ）用のレンズ駆動装置（以下レンズアクチュエータともいう）が使用される場合が多い。この種のレンズアクチュエータは、鏡筒に収納されたレンズの焦点調整時に、基台に対して鏡筒を数ミクロン単位で駆動するものである。
【０００３】
図１０は、オートフォーカス（ＡＦ）用の従来例に係るレンズユニット２００の構成例を示す断面図である。図１０に示すレンズユニット２００は、一般的なカメラモジュールに使用されるリニア駆動方式（例えば、ムービングコイル方式）のレンズアクチュエータ１１を備えて構成される。レンズアクチュエータ１１は、カバー部材８０’に覆い被されたベース１０’上に設けられる。
【０００４】
レンズアクチュエータ１１は、鏡筒６０’とコイル１３から成る可動部側の部品と、ベース１０’、ヨーク１４及びマグネット１５から成る固定部側の部品と、それらを連結する図示しない弾性部材の３部構成が採用されている。弾性部材は、説明を簡略化するために省略する。鏡筒６０’には異口径のレンズ７１，７２，７３を組み合わせた組みレンズ体７０や絞り部７４、スペーサー７５等が収められる。鏡筒内に挿入される複数レンズの外径は、一般的に撮像面に一番近いものが一番大きい口径を有している。
【０００５】
鏡筒６０’の外径は一番大きなレンズ外径によって決まっている。図中、φ：Coilは、コイル１３の外径であり、φ：Barrel＃０は、鏡筒６０’の外径である。レンズアクチュエータ１１では、φ：Coil＞φ：Barrel＃０に設定される。
【０００６】
また、レンズアクチュエータ１１によれば、レンズ焦点調整時、コイル１３に電流を流すことによって発生した推力が、固定部側の部品に対して、可動部側の部品を弾性部材によって動作規制されながら、鏡筒６０’を微調整するように作用する（オートフォーカス動作）。
【０００７】
この種のアクチュエータを備えたレンズユニットに関して、特許文献１には、電磁駆動装置及び電磁駆動装置を用いたフォーカス制御装置が開示されている。この電磁駆動装置によれば、レンズホルダー、コイル、外側ヨーク筒部及び内側ヨーク筒部を備えている。レンズホルダーは矩形状を有しており、対角線上の４隅でレンズを保持する。コイルは矩形状のホルダーの外周部に巻回される。ヨークは、外側ヨーク筒部と内側ヨーク筒部とが同心に形成されている。このヨークの筒部の一方にマグネットが固着され、この両ヨークとマグネットにより閉磁路を構成し、レンズホルダーに巻回されたコイルを両ヨーク間に介挿するようになされる。
【０００８】
【特許文献１】特開平７−１４６４３０号公報（第７頁  図１）
【発明の開示】
【発明が解決しようとする課題】
【０００９】
ところで、従来例に係るレンズ駆動装置によれば、以下のような問題がある。  
ｉ．現在主流のレンズアクチュエータの鏡筒は、別部品、例えば、ホルダーに対してねじ込み式（外側がネジ形状）になっている場合が多い。因みに、ホルダー部及びそのネジ部を削除して鏡筒の外径方向に、縁部の一部又は全部が折り返された内ヨーク部を配置しようとした場合、そのネジ部に段差を設けることは困難なことである。
【００１０】
ii．図１０に示したレンズアクチュエータ１１によれば、マグネット５０に対向した内ヨーク部４２’を設けているので、アクチュエータ全体が大きくなってしまう。レンズアクチュエータ１１を更に小型化しようとした場合、益々、マグネット５０に対向した内ヨーク部４２’を配置することが困難となる。
【００１１】
iii．また、大きな撮像素子を使用せざるをえない場合や、レンズユニット２００の薄型化に伴い、レンズ間の距離（光学長）を短くする代わりに、レンズ口径を大きく設定するような要求があった場合、特許文献１に見られるような外側ヨーク筒部と内側ヨーク筒部とを備えたヨーク構造であると、矩形状のレンズホルダーの周辺部で閉磁路が構成されるので、レンズユニット全体形状が大きくなり、大口径のレンズを備えた超小型のカメラの提供が困難となる。各レンズの有効径を大きくしようとすると、結果としてレンズ外径も大きくなってしまう。
【００１２】
iv．レンズ外径が大きくなると、可動部品周辺に配置されるオートフォーカス機能用の磁気回路の大きさも、結局、鏡筒６０’の外径に大きく影響を受けてしまう。因みに、磁気回路の小型化を図って、ヨーク１４の一部（内ヨーク部等）を削除し、径方向の大きさを小さくすることが考えられるが、コイル周辺の磁力が相当量落ち込み、所定の推力が確保できなくなり、かつ、漏れ磁束も増えてしまうため、磁気を使用した携帯機器の他部品に対して悪影響を及ぼすおそれが懸念される。
【００１３】
そこで、この発明はこのような従来の課題を解決したものであって、鏡筒外径構造を工夫して、基台に対する鏡筒の推力を向上できるようにすると共に、レンズ駆動用のアクチュエータを小型化できるようにしたレンズ駆動装置及びその組立方法を提供することを目的とする。
【課題を解決するための手段】
【００１４】
上述した課題は、鏡筒に収納されたレンズを基台に対して駆動するレンズ駆動装置であって、異口径のレンズを収納する段差筒状体を成して基台に対して可動自在に配置された鏡筒と、段差筒状体の外周部に配置されて固定されたコイルと、このコイルの外周部に配置されて基台に固定された支持部材と、この支持部材の内周部に配置されて固定された磁性体とを備え、支持部材の縁部の一部又は全部が折り返されて段差筒状体の外周部に配置され、段差筒状体の外周部に配置された支持部材と、当該支持部材に配置固定された磁性体とでコイルを挟むように鏡筒が組み込まれたことを特徴とするレンズ駆動装置によって解決される。
【００１５】
本発明に係るレンズ駆動装置によれば、鏡筒に収納されたレンズを基台に対して駆動する場合に、鏡筒の段差筒状体の外周部に配置された支持部材が、磁性体、コイルを含む閉磁路を形成するようになる。従って、磁性体による磁束を十分にコイルに鎖交できるようになる。
【００１６】
本発明に係るレンズ駆動装置の組立方法は、鏡筒に収納されたレンズを基台に対して駆動するレンズ駆動装置の組立方法であって、異口径のレンズを鏡筒用の段差筒状体に収納する工程と、段差筒状体の外周部にコイルを配置して固定する工程と、内周部に磁性体を配置して固定すると共に、縁部の一部又は全部を折り返して段差筒状体の外周部に支持部材を配置する工程と、段差筒状体の外周部に配置された支持部材と、当該支持部材に配置固定された磁性体とでコイルを挟むように基台に対して可動自在に段差筒状体を組み込む工程と、前記基台に支持部材を固定する工程とを有することを特徴とするものである。
【００１７】
本発明に係るレンズ駆動装置の組立方法によれば、鏡筒用の段差筒状体の外周部に配置された支持部材と、当該支持部材に配置固定された磁性体とでコイルを挟むように基台に対して可動自在に鏡筒を組み込むようになされる。これにより、従来方式のような鏡筒を取り付けるためのホルダー部及びそのネジ部を省略できるので、ホルダー部及びそのネジ部が削除された鏡筒の外径方向の余剰空間に、縁部の一部又は全部が折り返された支持部材を配置したホルダ一体化構造を採ることができる。
【発明の効果】
【００１８】
本発明に係るレンズ駆動装置及びその組立方法によれば、鏡筒に収納されたレンズを基台に対して駆動する場合に、縁部の一部又は全部が折り返された支持部材が鏡筒用の段差筒状部の外周部に配置され、この段差筒状体の外周部に配置された支持部材と、当該支持部材に配置固定された磁性体とでコイルを挟むように鏡筒が組み込まれるものである。
【００１９】
この構成によって、鏡筒の段差筒状体の外周部に配置された支持部材が、磁性体、コイルを含む閉磁路を形成するようになるので、磁性体による磁束を十分にコイルに鎖交できるようになる。従って、基台に対する鏡筒の推力（磁性体とコイルによる電磁力）を向上できるようになる。しかも、従来方式のような鏡筒を取り付けるためのホルダー部及びそのネジ部を省略できるので、ホルダー部及びそのネジ部が削除された鏡筒の中段外周部の余剰空間に、縁部の一部又は全部が折り返された支持部材を配置したホルダ一体化構造を採ることができる。これにより、小型薄型及び低消費電力型のレンズ駆動装置を提供できるようになった。
【発明を実施するための最良の形態】
【００２０】
続いて、この発明に係るレンズ駆動装置及びその組立方法の一実施例について、図面を参照しながら説明をする。
【００２１】
図１は、本発明に係る実施形態としてのレンズユニット１００の構成例を示す一部破砕の斜視図である。
【００２２】
図１に示すレンズユニット１００は、段差筒状体６１を成した鏡筒６０に、異口径の組みレンズ体７０が収納され、この鏡筒６０を円形状のベース１０（基台）に対して駆動する装置である。レンズユニット１００は、レンズ駆動装置の機能を構成するカメラモジュール用のレンズアクチュエータ１を有している。レンズアクチュエータ１は、ベース１０に実装され、開口部８１を有した円形状のカバー部材８０で上部を覆うように組み立てられる。当該レンズユニット１００は、デジタルカメラや、ビデオカメラ、携帯電話機等のカメラモジュール用のレンズユニットに適用可能なものである。なお、図中、Ｉは磁気回路であり、ｈεは外径段差である（図２参照）。
【００２３】
レンズアクチュエータ１は、ベース１０、コイル３０、ヨーク４０、マグネット５０及び鏡筒６０を備えて構成される。コイル３０及び鏡筒６０は、レンズアクチュエータ１の可動部側の部品を構成する。鏡筒６０は、ベース１０に対して可動自在に配置された鍔付きの段差筒状体６１を成しており、例えば、３枚のレンズ７１，７２，７３から成る組みレンズ体７０が収納され、これを一体的に保持する。この例で、レンズ７１，７２は鏡筒６０の内側天面に当接され、レンズ７３のＳ１面上でスペーサー７５を介して支持される。レンズ７３のＳ１面は、撮像側の凸部を成すＳ２面に比べて平坦形状を成している。
【００２４】
段差筒状体６１の内側は、内径の異なる第１の内側筒状部６２及び第２の内側筒状部６３を成している。内側筒状部６２には、２枚のレンズ７１，７２と、絞り部７４が組み込まれる。この例で絞り部７４は、レンズ７１とレンズ７２の間に挟まれる。内側筒状部６３には、レンズ７３が組み入れられる（図２参照）。鏡筒６０の材質には、炭素繊維含有の樹脂や、軽金属、アルミダイカスト等が使用される。
【００２５】
段差筒状体６１の外側は、その下方に鍔状の第１の外縁部（以下、下方外周部６４という）及び、その中段に段差状の第２の外縁部（以下、中段外周部６５という）を成している（図４Ａ参照）。この下方外周部６４には、コイル３０が配置されて固定される。例えば、コイル３０は、鏡筒６０の下方外周部６４に円筒状に巻装される。コイル３０には所定の線径を有した銅線が使用され、コイル３０は段差筒状体６１の下方外周部６４を巻き軸部としている。コイル３０の巻き数はＮ回で、その層数はＭである。コイル３０は、レンズ焦点調整時に通電される。
【００２６】
上述のベース１０、ヨーク４０及びマグネット５０は、カバー部材８０を含めてベース１０の固定部側の部品を構成する。カバー部材８０には、例えば、アルミニウム板を円形状にプレス加工し、その中央部に開口部８１を孔開け加工し、表面に意匠デザイン的に化粧用のクロムメッキ等を施したものが使用される。
【００２７】
この例では、円形状のカバー部材８０は、円筒状のベース１０と組み合わせて適用される。ベース１０にはヨーク４０が取り付けられる。ベース１０には、例えば、樹脂を金型成形した筒状体が使用される。ベース１０の材料には、樹脂や軽金属、アルミダイカスト等が使用される。
【００２８】
この例で、鏡筒６０のコイル３０の外周部には、支持部材の一例を構成するヨーク４０が配置され、ベース１０に固定される。ヨーク４０の内周部側は、例えば、逆さＵ字状に折り返されて、上述の鏡筒６０の中段外周部６５に延在される。ヨーク４０は外ヨーク部４１及び内ヨーク部４２を有して構成される。外ヨーク部４１は、コイル３０の外周部に配置され、ベース１０に固定される部分を構成する。内ヨーク部４２は、ヨーク４０の上部先端の全部が内側に折り返された部分を構成し、鏡筒６０の中段外周部６５内に延在される。もちろん、ヨーク４０の上部先端の一部を内側に折り返す形態であってもよい。
【００２９】
ヨーク４０には、例えば、所定の厚みを有したＳＰＣ（冷間圧延鋼板）が使用される。ＳＰＣには、亜鉛（Ｚｎ）メッキにより表面処理（三価クロムメート処理）がなされる。表面処理には無電解メッキ（ＥＬ／ＦｅＰ−／ＯＰ３）が採られる。ヨーク４０の内周部には、磁性体の一例を構成するマグネット５０が配置されて固定される。例えば、マグネット５０の側面に接着剤が塗布され、この接着剤を介してヨーク４０に接着され、締結固定される。マグネット５０には、ニッケル（Ｎｉ）メッキにより表面処理された扁平筒状のＮｄＦｅＢ（ネオジウム）焼結磁石や、フェライト磁石、アルニコ磁石等が使用される。
【００３０】
この例で、鏡筒６０は、その中段外周部６５上に延在された内ヨーク部４２と、ヨーク４０の外ヨーク部４２に配置固定されたマグネット５０とでコイル３０を挟むようにして組み立てられる。上述のベース１０は、図示しないカメラ本体内に固定され、このカメラ本体内には撮像素子が実装される。撮像素子は、焦点調整後の鏡筒６０の組みレンズ体７０によって結像された被写体像を撮像するようになされる。
【００３１】
図２は、レンズユニット１００の構成例を補足する断面図である。図２に示すレンズユニット１００によれば、段差筒状体６１を得るために、鏡筒６０の光軸方向において、撮像面に最も近いレンズ７３のＳ１面よりも、被写体側（図中上部側）に外径段差ｈεを設けている。ここに撮像面からレンズ７３のＳ１面に至る高さをｈ１とし、撮像面から鏡筒６０の中段外周部６５に至る高さをｈ２としたとき、Ｓ１面の高さｈ１と中段外周部６５の高さｈ２との間には、Ｓ１面の高さｈ１＜中段外周部６５の高さｈ２なる関係が設定される。外径段差ｈεは、中段外周部６５の高さｈ２−Ｓ１面の高さｈ１によって求められる。
【００３２】
また、レンズ７３の光軸に対して垂直な平面を規定したとき、その平面内において、鏡筒６０の中段外周部６５の立ち上がり部分の外径（Barrel＃１）をφ１とし、レンズ７３の外径（Lens＃７３）をφ２とし、鏡筒６０の下方外周部６４の立ち上がり部分の外径（Barrel＃０）をφ３としたとき、この三者の外径φ１，φ２，φ３の間には、
｛φ３：（Barrel＃０）＞φ２：（Lens＃７３）＞φ１：（Barrel＃１）｝
なる関係に設定される。これにより、鏡筒６０の被写体側の部分に、レンズ７３の外径φ２よりも内側方向に小さな段差φ１を持つ中段外周部６５を設定できる。このような中段外周部６５（外径段差ｈε）を鏡筒６０に設けることで生じた空間に、ヨーク４０の一部である内ヨーク部４２を配置できるようになった。
【００３３】
図３は、鏡筒６０の下方外周部６４及び中段外周部６５上におけるヨーク４０の磁気回路例を示す拡大図である。図３に示す磁気回路Ｉは、レンズアクチュエータ１の鏡筒６０において、段差筒状体６１の下方外周部６４及び中段外周部６５を抜き出した部分に構成される。
【００３４】
レンズアクチュエータ１によれば、ヨーク４０内には、片側単極着磁仕様のマグネット５０が配置される。この仕様のマグネット配置は、光軸方向のマグネット５０の高さを低くすることで、磁気回路構造の薄型化を図るためである。また、鏡筒用のホルダーをスリム化し、中段外周部６５（外径段差ｈε）を設けることにより生じた余剰空間には、ヨーク４０の一部である内ヨーク部４２が配置される。この磁気回路Ｉ中には、駆動用のコイル３０が配置される。
【００３５】
この例では、マグネット５０のＮ極から出た磁束Φがコイル３０に鎖交して内ヨーク部４２に至り、ヨーク４０中を通って外ヨーク部４１からそのＳ極に戻るように分布する閉磁路を成す磁気回路Ｉが構成される。
【００３６】
このように、コイル３０や、内ヨーク部４２、マグネット５０等を配置すると、上述の余剰空間における磁束密度（磁力）が増加し、従来方式のレンズアクチュエータに通電していたと同じ電流を当該レンズアクチュエータ１のコイル３０に通電（印加）した場合、従来方式よりも、大きな推力Ｆを発生させることができる。
【００３７】
また、内ヨーク部４２によって閉磁路が形成されるので、外部に対する漏れ磁束も減少できるようになる。しかも、片側単極着磁のマグネット５０を使用したので、片側２極着磁仕様に比較して、光軸方向のマグネット５０の高さを低く設定しても、磁力の減少を押えることができる。これにより、従来方式の内ヨーク部無しの仕様と同程度の外形に収められ、高推力と小型化を同時に達成することが可能となる。
【００３８】
続いて、レンズユニット１００の組立方法について説明する。図４〜図８は、その組立例（その１〜５）を示す工程図である。図９は、そのレンズ焦点調整例を示すフローチャートである。
【００３９】
この実施例では、図３に示したような段差筒状体６１を成す鏡筒６０に組みレンズ体７０を組み入れ、この鏡筒６０を用いてレンズアクチュエータ１を組み立てた後、鏡筒６０に収納された組レンズ体７０をベース１０に対して駆動して、レンズユニット１００のレンズ焦点を調整する場合を前提とする。
【００４０】
これらを組立条件にして、まず、図９に示すフローチャートのステップＡ１で、レンズアクチュエータ１を組み立てる。この例では、図４Ａに示す段差筒状体６１を成す鏡筒６０と、図４Ｂに示す同口径のレンズ７１，７２、絞り部７４と、図４Ｃに示すスペーサー７５と、図４Ｄに示す異口径のレンズ７３等を準備する。鏡筒６０には、図３で説明した段差筒状体６１を使用する。鏡筒６０は、例えば、炭素繊維含有の樹脂を金型成形して下方外周部６４及び中段外周部６５を有した段差筒状体６１を形成する。この例で、金型成形時、段差筒状体６１にレンズ収納用の開口部６６を形成する。鏡筒用の材料には、樹脂の他に、軽金属、アルミダイカスト等が使用される。
【００４１】
これらの部品が準備できたら、まず、図４Ａに示す内側筒状部６２に同口径のレンズ７１，７２，絞り部７４を組み入れて収納する。この例では、図４Ｂに示す絞り部７４をレンズ７１とレンズ７２で挟んだ状態で、この組み合わせ体を内側筒状部６２内に嵌合する。その後、図中、レンズ７２の底面側に図４Ｃに示すスペーサー７５を嵌め込む。その後、段差筒状体６１の内側筒状部６３に異口径のレンズ７３を嵌合する。
【００４２】
次に、図５Ａに示すコイル３０を準備し、コイル３０を段差筒状体６１の下方外周部６４に配置して固定する。例えば、鏡筒６０の下方外周部６４の外径よりも、わずかに狭い外径のコイル３０を作成し、図５Ｂに示す鏡筒６０の下方外周縁部６４に取り付ける。コイル３０は、所定の線径を有した銅線を鏡筒６０の段差筒状体６１を巻き軸部として、巻き数をＮ回で、その層数をＭとして円筒状に巻装することで形成する。
【００４３】
このとき、鏡筒６０の下方外周部６４とコイル３０の内面側との間に隙間を生ずるように巻装する。隙間は、内ヨーク部４２とコイル３０との間の摩擦を無くすためである。ここに巻装されたコイル３０を鏡筒６０の下方外周部６４に接着剤を使用して強固に固定する。接着剤には、例えば、ウレタン系のものを使用する。
【００４４】
次に、図６Ａに示すヨーク４０と、図６Ｂに示すマグネット５０とを準備する。この例では、外周部が丸みを帯びた円筒状を有し、内周部も円筒状を有したヨーク４０及びマグネット５０を準備し、ヨーク４０とマグネット５０とを組み合わせる。例えば、所定の厚みを有したＳＰＣ（冷間圧延鋼板）を加工して、外周部を丸みを帯びた円筒状に形成し、内周部を円筒状に形成する。この円筒状の内周部がヨーク４０の開口部４３を形成する。このように丸みを帯びた円筒状にするのは、図１に示したカバー部材８０とベース１０により形成される円筒状の筐体内に収納するためである。
【００４５】
この例では、ＳＰＣの展開時、ヨーク上部先端となる部分（ヨーク４０の内側となる部分）に関して、鏡筒６０の中段外周部６５上に延在可能なように、ヨーク４０の内側の一周に渡ってコ字状に折り返すように折り曲げ加工する。そして、外ヨーク部４１に対して、内ヨーク部４２が対峙するようなヨーク４０を形成する。ヨーク４０は折り曲げ加工の他プレス加工や、しぼり加工、溶接加工等により形成するとよい。
【００４６】
ＳＰＣには、亜鉛（Ｚｎ）メッキにより表面処理（三価クロムメート処理）が施される。表面処理には無電解メッキ（ＥＬ／ＦｅＰ−／ＯＰ３）が採られる。マグネット５０には、片側単極磁性体として、ニッケル（Ｎｉ）メッキにより表面処理された扁平筒状のＮｄＦｅＢ（ネオジウム）焼結磁石や、フェライト磁石、アルニコ磁石等が使用される。マグネット５０は、ヨーク４０の内側に接着する。例えば、マグネット５０の側面に接着剤を塗布し、この接着剤を介してヨーク４０の内周部にマグネット５０を接着して締結固定する。
【００４７】
次に、図７Ｃに示すベース１０を準備する。この例では、図中、上方が開放され、部材収納部１７を有した円筒状のベース１０を準備する。ベース１０は、例えば、当該ベース１０を象った金型を作成し、この金型にベース用の材料を封入して円筒状体に開口部１６及び部品収納部１７を形成する。ベース１０の材料には、樹脂や軽金属（アルミニウム）、アルミダイカスト等が使用される。
【００４８】
これらの部材が準備できたら、図７Ｃに示したベース１０の部材収納部１７内に、図７Ｂに示したコイル固定済みの鏡筒６０と、図７Ａに示したマグネット固定済みのヨーク４０とを組み入れる。このとき、マグネット固定済みのヨーク４０の組立体でコイル固定済みの鏡筒６０を覆い被せるように組合せる。この例では、縁部の一部又は全部が折り返された内ヨーク部４２を段差筒状体６１の中段外周部６５に配置する。
【００４９】
そして、段差筒状体６１の中段外周部６５に配置された内ヨーク部４２と、当該内ヨーク部４２に配置固定されたマグネット５０とでコイル３０を挟むようにベース１０に対して可動自在に段差筒状体６１を組み込む。例えば、ヨーク４０をコ字状に折り返した内ヨーク部４２とマグネット５０との隙間にコイル３０を嵌挿する（挟み込む）。この組合わせ状態のコイル固定済みの鏡筒６０及び、マグネット固定済みのヨーク４０を図７Ｃに示すベース１０内に配置する。そして、ヨーク４０をベース１０に固定する。これにより、図８Ｂに示すようなレンズアクチュエータ１（中間組立部品）が完成する。
【００５０】
その後、図８Ａに示すカバー部材８０を準備して中間組立部品の上部から覆い被せるようにして組み付ける。カバー部材８０には、例えば、アルミニウム板をプレス加工及び孔開け加工して、中央部に開口部８１を形成し、円筒状に仕上げたものを使用する。そして、図８Ｂに示したレンズアクチュエータ１と、図８Ａに示すカバー部材８０とを接合する。
【００５１】
カバー部材８０とベース１０とは、図示しないネジ部材等で結合する。結合はネジ部材に限られることはなく、接着剤でカバー部材８０とベース１０とを接着固定してもよい。これにより、ヨーク４０及びマグネット５０を備えた固定部側のベース１０に対して、可動部側のコイル付きの鏡筒６０が可動自在になされた、図１に示したようなレンズユニット１００の組み立てを完了する。
【００５２】
その後、図９に示すステップＡ２に移行して、レンズユニット１００をカメラに実装する。例えば、図示しないカメラのハウジング部には撮像素子が実装され、レンズユニット１００のベース１０をハウジング部に接着剤等を用いて取り付け、ハウジング部及びベース１０を相互に締結する（固定工程）。
【００５３】
そして、図９に示すステップＡ３でレンズ焦点を調整する。この例では、レンズユニット１００のコイル３０に通電する。例えば、カメラに実装された撮像素子に対する組みレンズ体７０の焦点を調整するとき、撮像素子が組みレンズ体７０を通して撮像する像をモニター等で確認しながら、光学特性が良好となる位置に、段差円筒状６１を成す鏡筒６０を微調整する（調整工程）。その後、ステップＡ４に移行して鏡筒６０を固定する。例えば、調整後の鏡筒６０を接着剤でベース１０に固定する。これにより、レンズユニット１００のレンズ焦点調整を完了する。
【００５４】
このように、実施例としてのレンズアクチュエータ１によれば、鏡筒６０に収納されたレンズ７１，７２，７３及び絞り部７４をベース１０に対して駆動する場合に、鏡筒６０の段差筒状体６１の中段外周部６５に配置された内ヨーク部４２が、マグネット５０、コイル３０を含む閉磁路を形成するようになる。
【００５５】
上述した例では、レンズアクチュエータ１において、複数組合わされた鏡筒６０内のレンズ外径差を利用し、鏡筒外形に段差を設けて、その段差によって生じた段差筒状体６１の中段外周部６５上に磁気回路Ｉの一部をオーバーラップさせている。従って、マグネット５０による磁束を十分にコイル３０に鎖交できるようになった。
【００５６】
また、レンズアクチュエータ１の組立方法によれば、鏡筒６０を成す段差筒状体６１の中段外周部６５に配置された内ヨーク部４２と、当該内ヨーク部４２に配置固定されたマグネット５０とでコイル３０を挟むようにベース１０に対して可動自在に鏡筒６０を組み込まれる。これにより、従来方式のような鏡筒を取り付けるためのホルダー及びそのネジ部を省略でき、ホルダ一体化構造を採ることができることから、今後、レンズアクチュエータ１の更なる小型化を図ることが可能となる。
【００５７】
これにより、オートフォーカス機能を持った小型のレンズアクチュエータ１を利用したデジタルカメラや、ビデオカメラ、携帯電話機等のカメラモジュール等において、薄型化及び消費電力の低減化を図ることが可能となった。
【産業上の利用可能性】
【００５８】
この発明は、デジタルカメラや、ビデオカメラ、携帯電話機等のカメラモジュール用のレンズユニットに適用して極めて好適である。
【図面の簡単な説明】
【００５９】
【図１】本発明に係る実施形態としてのレンズユニット１００の構成例を示す一部破砕の斜視図である。
【図２】レンズユニット１００の構成例を補足する断面図である。
【図３】鏡筒６０の下方外周部及び中段外周部６５上におけるヨーク４０の磁気回路例を示す拡大図である。
【図４】レンズユニット１００の組立例（その１）を示す工程図である。
【図５】レンズユニット１００の組立例（その２）を示す工程図である。
【図６】レンズユニット１００の組立例（その３）を示す工程図である。
【図７】レンズユニット１００の組立例（その４）を示す工程図である。
【図８】レンズユニット１００の組立例（その５）を示す工程図である。
【図９】レンズユニット１００のレンズ焦点調整例を示すフローチャートである。
【図１０】従来例に係るレンズユニット２００の構成例を示す断面図である。
【符号の説明】
【００６０】
１・・・レンズアクチュエータ（レンズ駆動装置）、１０・・・ベース（基台）、６１・・・段差筒状体、３０・・・コイル、４０・・・ヨーク（支持部材）、４１・・・外ヨーク部、４２・・・内ヨーク部、５０・・・マグネット（磁性体）、６０・・・鏡筒、６２，６３・・・内側筒状部、６４・・・下方外周部、６５・・・中段外周部、７０・・・組みレンズ体、７１，７２，７３・・・レンズ、７４・・・絞り部、８０・・・カバー部材、１００・・・レンズユニット
【図１】
2008299286.tif 000003
【図２】
2008299286.tif 000004
【図３】
2008299286.tif 000005
【図４】
2008299286.tif 000006
【図５】
2008299286.tif 000007
【図６】
2008299286.tif 000008
【図７】
2008299286.tif 000009
【図８】
2008299286.tif 000010
【図９】
2008299286.tif 000011
【図１０】
2008299286.tif 000012